(57)【要約】【課題】  プリント基板に実装される電子部品等が動作することによって生ずる発熱に基づいてテーブル回転装置や光学ピックアップ装置等が熱影響を受け、誤動作等を生じるおそれがある。【解決手段】  外装ケース７に、吸入口が下面に開口され且つ排出口が上面に開口される流体通路９６を設けると共に、流体通路９６内にファン９７を設ける。【選択図】      図６
2005063534.tif 000002
【特許請求の範囲】
【請求項１】
着脱自在に装着されるディスク状記録媒体を回転駆動するテーブル回転装置と、
前記テーブル回転装置により回転駆動される前記ディスク状記録媒体に対して情報信号の記録及び／又は再生を行うピックアップ装置と、
前記テーブル回転装置及び前記ピックアップ装置を駆動制御するための制御回路が搭載されたプリント基板と、
前記テーブル回転装置、前記ピックアップ装置及び前記プリント基板が収納される外装ケースと、
を備えたディスク記録及び／又は再生装置において、
前記外装ケースに、両端が一面又は二面に開口される流体通路を設けると共に、前記流体通路内にファンを設けたことを特徴とするディスク記録及び／又は再生装置。
【請求項２】
前記ディスク記録及び／又は再生装置は、レンズ装置を介して入力される光により被写体に対応した画像が得られる固体撮像素子を有し、前記固体撮像素子で得られた画像が前記ディスク状記録媒体に記録可能とされた撮像装置であることを特徴とする請求項１に記載のディスク記録及び／又は再生装置。
【請求項３】
前記撮像装置は、前記固体撮像素子で得られた画像を表示可能な表示装置を有し、前記表示装置には、前記固体撮像素子から供給される画像と前記ディスク状記録媒体から読み出される画像とが選択的に又は分割されて同時に表示可能であることを特徴とする請求項２に記載のディスク記録及び／又は再生装置。
【請求項４】
前記流体通路は、一端の吸入口を前記外装ケースの下面に開口すると共に、他端の排出口を前記外装ケースの上面に開口したことを特徴とする請求項２に記載のディスク記録及び／又は再生装置。
【請求項５】
前記流体通路には、前記排出口から入り込んだ水を前記吸入口に導いて外部に排出する排水路を設けたことを特徴とする請求項４に記載のディスク記録及び／又は再生装置。
【請求項６】
前記流体通路は、熱の導体からなるダクト部材によって形成したことを特徴とする請求項２に記載のディスク記録及び／又は再生装置。
【請求項７】
前記流体通路の内面又は外面にフィンを設けたことを特徴とする請求項６に記載のディスク記録及び／又は再生装置。
【請求項８】
前記外装ケースの、前記流体通路の吸入口の外側には、外面との間に隙間を形成する凹凸部を設けたことを特徴とする請求項２に記載のディスク記録及び／又は再生装置。
【発明の詳細な説明】
【技術分野】
【０００１】
本発明は、ディスク状記録媒体に対して情報信号の記録及び／又は再生が可能とされたディスク記録及び／又は再生装置に関し、特に、ディスク状記録媒体を情報記憶メディアとして使用する撮像装置に用いて好適であって、外装ケース内に発熱源を有するディスク記録及び／又は再生装置に関するものである。
【背景技術】
【０００２】
従来の、ディスク状記録媒体を記憶メディアとして用いるディスク記録及び／又は再生装置としては、例えば、特許文献１に記載されているようなものがある。特許文献１には、この特許出願人が先に特許出願したもので、冷却用ファンやハードディスク等の防音を考慮した電子機器の冷却構造に関するものが記載されている。
【０００３】
この特許文献１に記載された電子機器の冷却構造は、発熱体及び騒音発生源を筐体内に持つ電子機器において、前記筐体の側面若しくは後面またはそれらの近傍に開設した冷却空気の導入口と、前記冷却空気の導入口からの冷却空気を前記筐体内の前面に導き後面に流す位置には位置した冷却用ファンと、を具備し、前記冷却用ファンにより形成される前記冷却空気の流路に前記発熱体を配置する、ことを特徴としている。
【０００４】
このような構成を有する電子機器によれば、筐体内の熱気の排出口が後面やその近傍にあった場合でも、冷却用ファンの配置によって筐体の側面や後面から前面に冷却空気の流路を形成し、冷却空気を前面に導入して前面から後面への空気の流れを作り出すようにしたので、冷却の効果を維持することができるとともに、シャーシの前面もしくはその近傍に開口部分を亡くすことができるため、内部で発生する騒音が前面の外部に漏れるのを軽減することができる、という効果が期待できる。
【０００５】
また、従来のこの種のディスク記録及び／又は再生装置の他の例としては、例えば、特許文献２に記載されているようなものもある。特許文献２には、ディスク装置本体内或いは筐体内に配置された光学部品等の熱に弱い部品に電源等の発熱部品の熱が作用しないように、この発熱部品の熱を良好に放熱するようにしたディスク装置における放熱構造及び筐体内の放熱構造に関するものが記載されている。
【０００６】
この特許文献２に記載されたディスク装置における放熱構造は、ディスク装置本体の側方に電源等の発熱部品を配置するための断熱材で形成された煙突状の放熱スペースを形成し、この放熱スペース内の上部側に前記発熱部品を配置し、前記ディスク装置本体の側壁に形成したエアー吸入口からディスク装置本体内を経て前記放熱スペースの内からこの放熱スペースの上部に設けた排気口に向けてエアーが流れるように構成し、前記ディスク装置本体内の光学部品等の熱に弱い部品に、前記発熱部分が発する熱が影響しないように構成した、ことを特徴としている。
【０００７】
このような構成を有するディスク装置における放熱構造によれば、発熱する部品と熱に弱い部品とを分離することができて、エアーの対流を利用することによって放熱用のファン等を使用することなく良好な放熱を行うことができるとともにコストを抑えることができる、等の効果が期待される（明細書の段落［００１５］〜［００１９］）。
【０００８】
しかしながら、特許文献１に記載の電子機器の冷却構造の場合には、電子機器の筐体に冷却空気の導入口と冷却用ファンを設け、冷却空気を導入口から筐体内に導入して内部の空気と混ぜ合わせ、その混合空気で発熱体から出た熱を奪って外部に排出することにより、発熱体及び筐体内の温度を所定温度以下に保持するものであった。
また、特許文献２に記載のディスク装置における放熱構造の場合には、ディスク装置本体に断熱材で形成された煙突状の放熱スペースを設け、この放熱スペース内に発熱部品を配置し、光学部品等の熱に弱い部品を発熱部品から隔離する構成となっていた。
【０００９】
このような従来の、電子機器の冷却構造やディスク装置における放熱構造においては、電子機器等の体積が大きい場合や、発熱体とその周りの温度差が大きい場合には、ある程度の効果を期待できるが、放熱スペース等のためにある程度の大きさの空間部を確保する必要があることから、電子機器等の小型化を図ることが困難であった。即ち、電子機器等の体積が小さく、全体が温度の飽和状態になってしまうと、内部のヒートシンクでは冷却効果を期待することができない、という課題があった。
【００１０】
また、ヒートパイプや放熱シート等を設けて発熱体の熱を外装ケースに直接伝達する構成にすると、外装ケースが熱くなり過ぎるおそれがある。この場合に、外装ケースに穴をあけて換気できる構成とすることもできるが、そうすると穴からゴミや水等が入ってしまうために、屋外で使用することが多いビデオカメラレコーダー等の電子機器においては、外装ケースに穴をあけることは不可能であった。
【特許文献１】特開２００３−１５１２５５号公報
【特許文献２】実用新案登録第３０８７５９７号公報
【発明の開示】
【発明が解決しようとする課題】
【００１１】
解決しようとする問題点は、プリント基板に実装される電子部品等が動作することによって生ずる発熱に基づいてテーブル回転装置や光学ピックアップ装置等が熱影響を受け、誤動作等を生じるおそれがあると言う点である。
【課題を解決するための手段】
【００１２】
本出願の請求項１に記載の発明は、着脱自在に装着されるディスク状記録媒体を回転駆動するテーブル回転装置と、テーブル回転装置により回転駆動されるディスク状記録媒体に対して情報信号の記録及び／又は再生を行うピックアップ装置と、テーブル回転装置及びピックアップ装置を駆動制御するための制御回路が搭載されたプリント基板と、テーブル回転装置、ピックアップ装置及びプリント基板が収納される外装ケースと、を備えたディスク記録及び／又は再生装置において、外装ケースに、両端が一面又は二面に開口される流体通路を設けると共に、流体通路内にファンを設けたことを最も主要な特徴とする。
【００１３】
本出願の請求項２に記載の発明は、ディスク記録及び／又は再生装置は、レンズ装置を介して入力される光により被写体に対応した画像が得られる固体撮像素子を有し、固体撮像素子で得られた画像がディスク状記録媒体に記録可能とされた撮像装置であることを特徴とする。
【００１４】
本出願の請求項３に記載の発明は、撮像装置は、固体撮像素子で得られた画像を表示可能な表示装置を有し、表示装置には、固体撮像素子から供給される画像とディスク状記録媒体から読み出される画像とが選択的に又は分割されて同時に表示可能であることを特徴とする。
【００１５】
本出願の請求項４に記載の発明は、流体通路は、一端の吸入口を外装ケースの下面に開口すると共に、他端の排出口を外装ケースの上面に開口したことを特徴とする。
【００１６】
本出願の請求項５に記載の発明は、流体通路には、排出口から入り込んだ水を吸入口に導いて外部に排出する排水路を設けたことを特徴とする。
【００１７】
本出願の請求項６に記載の発明は、流体通路は、熱の導体からなるダクト部材によって形成したことを特徴とする。
【００１８】
本出願の請求項７に記載の発明は、流体通路の内面又は外面にフィンを設けたことを特徴とする。
【００１９】
本出願の請求項８に記載の発明は、外装ケースの、流体通路の吸入口の外側には、外面との間に隙間を形成する凹凸部を設けたことを特徴とする。
【発明の効果】
【００２０】
本出願の請求項１に記載の発明によれば、一面又は二面に両端が開口される流体通路を外装ケースに設けると共に、その流体通路内にファンを設ける構成としたため、流体通路を通して外装ケースの外から外へと冷却用の空気を流すことにより、外装ケース内の熱を流体通路から外部に排出することができる。これにより、外装ケース内の発熱源で発生した熱を外部に放熱させ、テーブル回転装置やピックアップ装置が熱影響を受けて高温になるのを防止又は抑制して、テーブル回転装置等が必要以上に高温となって誤動作を生じたり、回転効率が悪くなるのを防止又は抑制することができる。
【００２１】
本出願の請求項２に記載の発明によれば、レンズ装置を介して入力される光により被写体に対応した画像が得られる固体撮像素子を設ける構成としたため、ディスク記録及び／又は再生装置を、固体撮像素子で得られた画像をディスク状記録媒体に記録可能な撮像装置として構成することができる。これにより、プリント基板に実装されている電子部品の動作により発生する熱を外部に放熱することができ、テーブル回転装置やピックアップ装置等が熱影響を受けて高温になるのを防止又は抑制し、テーブル回転装置等が必要以上に高温となって誤動作を生じたり、回転効率が悪くなるのを防止又は抑制することができる。
【００２２】
本出願の請求項３に記載の発明によれば、撮像装置に表示装置を設ける構成としたため、固体撮像素子から供給される画像とディスク状記録媒体から読み出される画像とを選択的に又は１の画面に分割して同時に表示することができ、それらの画像を視覚で認識して知ることができる。
【００２３】
本出願の請求項４に記載の発明によれば、流体通路の吸入口を外装ケースの下面に開口し、排出口を外装ケースの上面に開口する構成としたため、下面の吸入口から冷たい空気を吸い込み、上面の排気口から熱い空気を排出することにより、外装ケース内の発熱源の熱を外部に放熱して発熱源の温度を下げることができる。
【００２４】
本出願の請求項５に記載の発明によれば、流体通路に排水路を設ける構成としたため、排出口から入り込んだ雨水を排水路から吸入口に導き、自重によって雨水を吸入口から外部に排出することができ、雨水が外装ケース内に入り込むのを防ぐことができる。
【００２５】
本出願の請求項６に記載の発明によれば、流体通路を熱の導体であるダクト部材で形成する構成としたため、発熱源の熱をダクト部材を介して流体通路に伝わり易くすることができる。
【００２６】
本出願の請求項７に記載の発明によれば、流体通路の内面又は外面にフィンを設ける構成としたため、更に効率良く放熱することができる。
【００２７】
また、本出願の請求項８に記載の発明によれば、外装ケースの吸入口の外側に凹凸部を設ける構成としたため、撮像装置を三脚に取り付けたり机の上に置いたときにも流体通路による吸気を確保し、放熱することができる。
【発明を実施するための最良の形態】
【００２８】
外装ケース内の発熱源から発生する熱を外部に放熱するという目的を、外装ケースに両端が開口する流体通路を設けると共に、その流体通路内にファンを設けることにより、簡単な構造によって実現した。
【実施例１】
【００２９】
図１〜図１３は、本発明の実施の形態を示すものである。即ち、図１〜図４は本発明のディスク記録及び／又は再生装置の一実施例を示す撮像装置の図、図５は撮像装置の基板側パネルを取り除いた斜視図、図６は撮像装置の中央縦断面図、図７〜図９は撮像装置の仕切り壁とディスクドライブ装置の組立図、図１０は仕切り壁の斜視図、図１１〜図１３はダクト部材を示す図である。
【００３０】
図１等に示す撮像装置１は、ディスク記録及び／又は再生装置の一実施例を示すもので、情報記憶メディアであるディスク状記録媒体の一具体例としてＤＶＤ（Digital Versatile Disc）を使用し、光学的な画像をＣＣＤ（固体撮像素子）で電気的な信号に変換してＤＶＤに記録したり液晶モニタ等の表示装置に表示できるようにしたもの（以下「ディスク式撮像装置」という。）である。しかしながら、本発明のディスク状記録媒体としてはＤＶＤに限定されるものではなく、ＣＤ−ＲＯＭその他の記録可能な光学ディスクを用いることができることは勿論のこと、例えば光磁気ディスク、磁気ディスク等のように他の記録方式のディスク状記録媒体を適用できるものである。
【００３１】
このディスク式撮像装置１は、図１〜図６に示すように、着脱自在に装着されるＤＶＤ２を回転駆動して情報信号の記録（書き込み）及び再生（読み出し）を行うディスクドライブ装置３と、このディスクドライブ装置３の駆動制御等を行う制御回路が設けられたプリント基板４と、被写体の像を光として取り込んでＣＣＤ５に導くレンズ装置６と、これらディスクドライブ装置３等が収納される外装ケース７と、この外装ケース７に回動自在に取り付けられてディスク収納部８を開閉可能に覆うことができるディスク蓋９と、外装ケース７の内部を２つの室に仕切る仕切り壁１０等を備えて構成されている。
【００３２】
外装ケース７は、ディスクドライブ装置３等を両側から挟むように組み合わされるディスク側パネル１２及び基板側パネル１３と、レンズ装置６の光軸方向の前後に配置されて両パネル１２，１３と組み合わされるフロントパネル１４及びリアパネル１５とからなり、これらによって中空の筐体が構成されている。レンズ装置６は外装ケース７の上部に固定されていて、その対物レンズ１６がフロントパネル１４の上部を前方に貫通して前面に露出されている。外装ケース７の内部において、レンズ装置６の後方にＣＣＤ５が配置されており、そのＣＣＤ５の後方にビューファインダ１７が配置されている。
【００３３】
ビューファインダ１７は外装ケース７の上部に露出されていて、前側を回動中心として後部を上下方向へ回動可能に構成されている。これによりビューファインダ１７は、レンズ装置６の光軸と平行をなす水平状態から、後部を上方へ持ち上げた上向き状態まで所定角度範囲内で任意角度に角度調節可能とされている。更に、外装ケース７の上部には、ビデオライトや外付けマイクロホン等が着脱自在に装着されるアクセサリーシュー１８がビューファインダ１７の前側に取り付けられている。そして、フロントパネル１４のレンズ装置６の下側にはステレオ方式のマイクロホン２０が内蔵されている。
【００３４】
図２及び図４に示すように、外装ケース７のリアパネル１５の略中央部には、電源バッテリー２１が着脱自在に装着されるバッテリー収納部２２が設けられている。バッテリー収納部２２は外装ケース７の上面及び背面に開口されていて、電源バッテリー２１は後方斜め上方から差し込み及び取り出し可能とされている。更に、リアパネル１５には、吊り下げ用ストラップのための２個の取付金具２５が設けられている。２個の取付金具２５のうち、一方の取付金具２５は右サイドの上部に配置され、他方の取付金具２５は左サイドの下部に配置されている。
【００３５】
図３及び図４に示すように、外装ケース７の基板側パネル１３には、表示装置２７が姿勢変更可能に取り付けられている。表示装置２７は、平板状の液晶モニタ２８と、この液晶モニタ２８が収納されたパネルケース２９と、このパネルケース２９を外装ケース７に対して姿勢変更可能に支持するパネル支持機構３０とから構成されている。
【００３６】
パネル支持機構３０は、垂直軸を回動中心としてパネルケース２９を水平方向に略９０度回動可能とした水平回動機能と、水平軸を回動中心としてパネルケース２９を前後方向に略１８０度回動可能とした前後回動機能とを有している。これにより表示装置２７は、図３に示す収納状態と、図４に示すパネルケース２９を９０度回動させて液晶モニタ２８を後方へ対向させた状態と、図４の状態からパネルケース２９を１８０度回動させて液晶モニタ２８を前方へ対向させた状態とを選択的に取ることができる。
【００３７】
更に、基板側パネル１３には、パネルケース２９によって開閉自在に覆われる多数の操作ボタンからなる内側操作部３２と、パネルケース２９の上方に配された多数の操作ボタンからなる外側上操作部３３と、パネルケース２９の前方に配された複数の操作ボタンや操作ダイヤルからなる外側前操作部３４が設けられている。図３等に示す符号３５は、パネルケース２９を閉じ状態でロックするパネルロック機構である。
【００３８】
図１に示すように、外装ケース７のディスク側パネル１２には、ディスクドライブ装置３の一部を露出させるための開口部からなるディスク収納室８が設けられている。このディスク収納室８の略中央部にはディスクドライブ装置３のテーブル回転装置が配置され、その状態でディスクドライブ装置３が外装ケース７に支持されている。このディスク収納室８はディスク蓋９によって開閉可能に構成されている。
【００３９】
ディスク蓋９は、ディスク収納室８の形状に見合う形状とされていて、ディスク収納室８の平面側を覆う平面部９ａと、この平面部９ａの一部に連続してディスク収納室８の側面切欠き部を覆う側面部９ｂを有している。更に、ディスク蓋９の下端両側部には一対の軸受部９ｃ，９ｃが設けられており、これらの軸受部９ｃ，９ｃには支持軸３８が回動自在に挿通されている。支持軸３８の両端は各軸受部９ｃから外側に突出されていて、それらの突出端がディスク側パネル１２に固定されている。これによりディスク蓋９が、支持軸３８を介してディスク側パネル１２に回動自在に支持されている。
【００４０】
また、支持軸３８には捩りバネ３９が装着されており、捩りバネ３９の一端のバネ片はディスク蓋９に係止され、他端のバネ片はディスク側パネル１２に係止されている。これによりディスク蓋９は、捩りバネ３９のバネ力によってディスク収納室８を開放する方向に常時付勢されている。更に、ディスク蓋９とディスク側パネル１２との間には、ディスク蓋９の開放量を制限するリンク機構４０が掛け渡されている。リンク機構４０は、ディスク蓋９に回動自在に支持された蓋側リンク４１と、ディスク側パネル１２に回動自在に支持されたパネル側リンク４２とからなり、両リンク４１，４２の先端部は互いに回動自在に連結されている。
【００４１】
ディスク蓋９は、支持軸３８から最も離れた部分に配設された蓋ロック装置４４により、ディスク収納室８を閉じた状態においてロック可能に構成されている。この蓋ロック装置４４は、ディスク蓋９に固定された図に表れないロック部材と、ディスク側パネル１２に摺動可能に取り付けられた操作部材５１及びスライド部材等を備えて構成されている。ロック部材にはロック爪が設けられている一方、スライド部材にはロック爪に係合可能な爪ストッパが設けられている。スライド部材の爪ストッパは、バネ部材のバネ力によってロック爪の移動軌跡上に配置されている。
【００４２】
かくして、ディスク蓋９をディスク側パネル１２側に押し付けることにより、爪ストッパに係合されるロック爪がバネ部材のバネ力に抗してスライド部材を後退させる。その結果、爪ストッパがロック爪を乗り越え、爪ストッパとロック爪が互いに係合される。これにより、ディスク収納室８がディスク蓋９によって閉じられ、ディスク蓋９がディスク側パネル１２にロックされる。このロックの解除は、バネ部材のバネ力に抗して操作部材５１をロック解除方向へスライド動作させることによって行うことができる。
【００４３】
また、ディスク側パネル１２には、ディスク蓋９を囲うようにハンドストラップ６０が取り付けられている。ハンドストラップ６０は、外装ケース７の把持部とされたディスク蓋９部分を把持するユーザーの手の部分を支えて、ディスク式撮像装置１の取り落とし等を防止するものである。
【００４４】
このハンドストラップ６０は、両端がディスク側パネル１２に固定された支持ベルト６１と、この支持ベルト６１に装着されてユーザーの手の甲部分に当接される保護パッド６２から構成されている。支持ベルト６１の一端はディスク側パネル１２の前側下部に固定された取付金具６３に固定され、他端はディスク側パネル１２の後側中途部に設けた貫通穴から内側に挿入されて、その内部に設けられた取付金具に固定されている。
【００４５】
図２等に示すように、ディスク側パネル１２の後側中途部には、電源スイッチ６４と録画ボタン６５とモード切換ダイヤル６６が配置されている。そして、ディスク側パネル１２の後側上部には、シャッタボタン６７とズームレバー６８が配置されている。ディスク側パネル１２のズームレバー６８と操作部材５１の間には凹部１２ａが設定されていて、この凹部１２ａ側に開口する排出口７０が設けられている。排出口７０は後述するダクトの一方の開口をなすものである。この排出口７０に対応してディスク側パネル１２の下部には、ダクトの他方の開口をなす吸入口７１が設けられている（図６参照）。
【００４６】
このような構成を有する外装ケース７の材料としては、例えば、ＡＢＳ（アクリロニトリル・ブタジエン・スチレン樹脂）が好適であるが、その他のエンジニアリングプラスチックを適用できることは勿論のこと、合成樹脂以外のアルミニウム合金等の金属を用いることもできる。
【００４７】
図５及び図６に示すように、上述した外装ケース７の内部は仕切り壁１０によって左右方向（レンズ装置６の光軸と交差する方向）に仕切られて、ディスクドライブ装置３側の第１の室７２とプリント基板４側の第２の室７３が設けられている。仕切り壁１０は、図１０に示すような形状を有しており、板状の部材で形成されていて、外装ケース７の内部にネジ等の固着手段によって締付固定されている。この仕切り壁１０はフレームの役割をなすもので、一面側にはディスクドライブ装置３を支持するための支持突起７４が複数個（本実施例では４個）設けられ、他面側にはプリント基板４等を支持するための支持片７５が多数個設けられている。
【００４８】
更に、仕切り壁１０には、重量を軽くするための開口部１０ａや切欠き１０ｂが複数箇所に設けられている。仕切り壁１０の材料としては、例えば、ステンレス鋼（ＳＵＳ）が好適であるが、スチール鋼、アルミニウム合金その他の金属を適用できることは勿論のこと、金属以外のエンジニアリングプラスチックを用いることもできる。尚、開口部１０ａ及び切欠き１０ｂの大部分は、第１の室７２と第２の室７３間を仕切って熱が伝わり難い構造とするため、次に説明する絶縁板１１によって塞がれている。
【００４９】
即ち、仕切り壁１０の一面には、図５及び図７〜図９において格子模様で示すように、仕切り壁１０の略全体を覆うように所定の形状及び構造を有する絶縁板１１が重ね合わされて一体的に構成されている。更に、第１の室７２に配置されるディスクドライブ装置３と第２の室７３に配置されるプリント基板４を電気的に接続するため絶縁板１１には、フレキシブル配線板が挿通される連通穴７６が設けられている。
【００５０】
絶縁板１１を仕切り壁１０に固定する手段としては、例えば、固定ネジを複数個使用してネジ止めする方法が好適であるが、その他にも接着剤による接合、ビス止めによる固定等のように各種の固着手段を用いることができる。絶縁板１１の材料としては、例えば、軽くて断熱性に優れたＡＢＳが好適であるが、他のエンジニアリングプラスチックを適用できることは勿論のこと、セラミックやニューセラミック等を用いることもできる。
【００５１】
図６に示すように、仕切り壁１０の絶縁板１１が重ね合わされた面には、弾性体からなるインシュレータ７７を介してディスクドライブ装置３が弾性的に支持されている。インシュレータ７７は、円筒状に形成されたゴム状弾性体からなり、その外周面の軸方向中途部には周方向に連続する環状溝７７ａが設けられている。
【００５２】
このインシュレータ７７の所定個数（本実施例では４個）が、ディスクドライブ装置３の導体からなるメカシャーシ８０の４箇所のインシュレータ受け部８０ａやインシュレータ受け片８０ｂに設けた切欠き穴に、それぞれ環状溝７７ａを嵌合させることによって装着されている。そして、これら４個のインシュレータ７７が、仕切り壁１０の一面に突設された４個の支持ピン７４にそれぞれ嵌合されている。各支持ピン７４は、インシュレータ７７と同程度の直径を有する支持部７４ａと、この支持部７４ａの中央部に突出された突起部７４ｂとからなり、仕切り壁１０にそれぞれカシメ等の固着手段により固定されている。
【００５３】
この支持ピン７４の突起部７４ｂにインシュレータ７７の中央穴を嵌合することにより、４個のインシュレータ７７が支持ピン７４にそれぞれ装着されている。そして、各支持ピン７４の突起部７４ｂ先端に螺合される取付ネジ７８により、それぞれのインシュレータ７７の脱落が防止されている。このようなインシュレータ７７を介して仕切り壁１０に弾性支持されたメカシャーシ８０は、十分に大きな強度を有する枠状の部材によって構成されている。そして、仕切り壁１０とメカシャーシ８０とは、電気の伝導性に優れた図示しないアース部材によって互いに導通されている。
【００５４】
また、メカシャーシ８０には、図６及び図７に示すように、ＤＶＤ２が着脱自在に装着されるテーブル回転装置８２と、ピックアップ装置の一具体例を示す光学ピックアップ装置８６が搭載されている。テーブル回転装置８２は、メカシャーシ８０に固定されたスピンドルモータ８３と、このスピンドルモータ８３の回転部に固定されたターンテーブル８４から構成されている。
【００５５】
ターンテーブル８４は、ＤＶＤ２のセンタ穴２ａが嵌合される嵌合部８４ａと、センタ穴２ａの周縁部が載置される載置部８４ｂとからなっている。更に、嵌合部８４ａには、ＤＶＤ２のセンタ穴２ａの周縁部に係合してＤＶＤ２を保持する複数個の係合爪８５ａが周方向に等間隔あけて配置されている。各係合爪８５ａはスプリング８５ｂによって半径方向外側へ付勢されており、このスプリング８５ｂのバネ力に抗して係合爪８５ａを後退させることにより、嵌合部８４ａに対するＤＶＤ２の装着動作及び離脱動作が可能となる。尚、載置部８４ｂの面は、メカシャーシ８０の面と平行に設定されている。
【００５６】
また、光学ピックアップ装置８６は、ＤＶＤ２の情報記録面に対向されるピックアップレンズ８７を有する二軸アクチュエータ８８と、この二軸アクチュエータ８８が搭載されたスライド部材８９等を備えて構成されている。スライド部材８９は、図に表れない２本のガイド軸にガイドされて移動可能とされている。２本のガイド軸は、スピンドルモータ８３を挟んで互いに平行とされており、一方のガイド軸の近傍にピックアップ移動装置９０が設けられている。
【００５７】
図７に示すように、ピックアップ移動装置９０は、スライド部材８９に固定された図示しない送りナットに係合される送りネジ軸９１と、この送りネジ軸９１を回転軸とした送りモータ９２とから構成されている。送りネジ軸９１は、光学ピックアップ装置８６のガイド軸と平行に設定されて、メカシャーシ８０に回転自在に支持されている。かくして、送りモータ９２を回転駆動することにより、送りネジ軸９１の回転方向に応じて光学ピックアップ装置８６がターンテーブル８４に近づく方向とターンテーブル８４から離れる方向とに選択的に移動される。
【００５８】
前記メカシャーシ８０とテーブル回転装置８２と光学ピックアップ装置８６とピックアップ移動装置９０とによってディスクドライブ装置３が構成されている。このディスクドライブ装置３の上面は、ターンテーブル８４と光学ピックアップ装置８６のための所定領域と送りモータ９２の部分を除く大部分が防護カバー９３によって覆われている。
【００５９】
このような構成を有するディスクドライブ装置３が、図５に示すように仕切り壁１０を外装ケース７内の所定位置に取り付けることにより、外装ケース７内を左右方向に仕切る仕切り壁１０を介して第１の室７２内の所定位置に位置決めされている。このとき、ディスクドライブ装置３のターンテーブル８４とその周辺部分がディスク側パネル１２のディスク収納室８に臨まれ、ディスク蓋９に対向されている。そして、図６に示すように、ディスクドライブ装置３と仕切り壁１０又は絶縁板１１との間には、空気層からなる断熱隙間１００Ａが設定されていて、仕切り壁１０からの熱がディスクドライブ装置３に伝わり難い構造とされている。
【００６０】
仕切り壁１０の絶縁板１１と反対側の面の前後方向中途部には、前後方向と交差する上下方向に延在されたダクト部材９５がネジ止め等の固着手段によって固定されている。ダクト部材９５は、外装ケース７の略中央部において上下方向に貫通する流体の通路（ダクト）を設定するもので、仕切り壁１０との間に流体通路９６が形成されている。
【００６１】
ダクト部材９５は、図１１〜図１３に示すような構成とされている。即ち、ダクト部材９５は、上部において前後方向に偏倚されたクランク形状とされていて、その上部に偏移部９５ａと膨出部９５ｂと台座部９５ｃが設けられている。そして、ダクト部材９５の下端にはディスク側パネル１２の下面に設けた吸入口７１に連通される下端開口部９６ｂが形成され、偏移部９５ａにはディスク側パネル１２の上面に設けた排出口７０に連通される上端開口部９６ａが形成されている。
【００６２】
図１２Ａ，Ｂ，Ｃ及びＤに示すように、ダクト部材９５の中央部は上下方向に延在されていて、上下方向に延びる平面部１２０ａと、この平面部１２０ａの側縁を囲うように一面側に突出して形成された側面部１２０ｂとが設けられ、これら平面部１２０ａと側面部１２０ｂの内側に流体通路９６が形成されている。更に、流体通路９６は、図１２Ｄに示すように、上下方向に延在された中仕切り１２１によって左右方向に仕切られており、これにより排水路１２２が形成されている。
【００６３】
ダクト部材９５の中仕切り１２１の上部は偏移部９５ａにつながる隔壁１２１ａとされていて、この隔壁１２１ａにより上端開口部９６ａから流体通路９６内に入り込むことがある雨水を排水路１２２に導き、下端開口部９６ｂから吸入口７１を経て外部に排出するようにしている。図１２Ａ，Ｂ及び図１３Ｂに示すように、ダクト部材９５の台座部９５ｃには外部に開口された第１の開口部９８ａが設けられ、また、偏移部９５ａに続く膨出部９５ｂには台座部９５ｃ側に開口する第２の開口部９８ｂが設けられている。この台座部９５ｃに、流体通路９６に外気（空気）を強制的に流すファン９７が弾性体からなるインシュレータを介して取付ネジ９７ａによる固着手段により締付固定されている。
【００６４】
ダクト部材９５の第１の開口部９８ａはファン９７の吸気口に対向されていると共に、第２の開口部９８ｂはファン９７の吐出口に対向されている。これにより、ファン９７を回転駆動すると、流体通路９６の下端開口部９６ｂに負圧が作用し、外気の冷たい空気が外装ケース７の下面に開口された吸入口７１から下端開口部９６ｂを経て流体通路９６内に導入される。そして、第１の開口部９８ａからファン９７の吸気口内に入り込み、その空気がファン９７の吐出口から第２の開口部９８ｂを経て上端開口部９６ａに吐出される。更に、上端開口部９６ａに吐出された空気が、外装ケース７の上面に開口された排出口７０から外部に排出される。
【００６５】
このような構成を有するダクト部材９５には、これを仕切り壁１０に固定するために取付ネジが挿入される取付片９５ｄが複数個設けられている。また、図１２Ａ等に示す符号９５ｅは、プリント基板４を支持するための支持突起である。ダクト部材９５の材料としては、例えば、熱伝導性に優れたアルミニウム合金その他の金属が好適であるが、熱伝導性に優れたエンジニアリングプラスチックを用いることもできる。
【００６６】
また、図６に示すように、外装ケース７の第２の室７３内には、複数枚のプリント基板４（図６には３枚のプリント基板４Ａ，４Ｂ，４Ｃを示している。）が配設されている。３枚のプリント基板４Ａ，４Ｂ，４Ｃは互いに適当な隙間をあけて層状に配置されており、隣り合うプリント基板間、及びプリント基板と仕切り壁１０又は基板側パネル１３との間には空気層からなる断熱隙間１００Ｂ，１００Ｃ，１００Ｄ及び１００Ｅが設定されている。
【００６７】
例えば、第１のプリント基板４Ａは、仕切り壁１０に立設された複数の支持片７５の先端に取付ネジ９９ａによって締付固定されており、これにより仕切り壁１０との間に断熱隙間１００Ｂが設定されている。第２のプリント基板４Ｂは、基板側パネル１３の内面に固定された複数のブラケット１０１に取付ネジ９９ｂによって締付固定されていて、これにより第１のプリント基板４Ａとの間に断熱隙間１００Ｃが設定されている。
【００６８】
更に、第３のプリント基板４Ｃは、基板側パネル１３に設けられた支持突起１３ａに取付ネジ９９ｃによって締付固定されている。これにより、第３のプリント基板４Ｃと第２のプリント基板４Ｂとの間には断熱隙間１００Ｄが設定され、第３のプリント基板４Ｃと基板側パネル１３との間には断熱隙間１００Ｅが設定されている。
【００６９】
第１のプリント基板４Ａに実装された電子部品１０２（例えば、動作時における発熱の激しいＬＳＩやマイクロプロセッサ等）とダクト部材９５との間には、熱伝導性に優れた熱伝導成形体からなる放熱ゴム１０４Ａが介在されている。また、ダクト部材９５の膨出部９５ｂの上面には、熱伝導性に優れた放熱板１０５が取付ネジ１０６ａによって締付固定されている。この放熱板１０５と第１のプリント基板４Ａとの間には放熱ゴム１０４Ｂが介在され、放熱板１０５と第２のプリント基板４Ｂとの間には放熱ゴム１０４Ｃが介在されている。
【００７０】
放熱ゴム１０４Ａ，１０４Ｂ及び１０４Ｃとしては、例えば、北川工業株式会社製の「クールプロバイド」を挙げることができる。このクールプロバイドは、熱伝導性を有するシリコーンゲルの成形体からなるもので、優れた柔軟性を有しており、様々な形状に容易に成形することができる。
【００７１】
クールプロバイドの特長としては、例えば、次のような事項を挙げることができる。クールプロバイドの色は目視にて「グリーン」、熱伝導率は試験方法（ＱＴＭ法）で２（Ｗ／ｍ・Ｋ）、比重は１．９２、硬度（ＡＳＫＥＲＣ）はＪＩＳＫ６２５３で２０であり、難燃性を有していて試験方法ＵＬ９４で測定値はＶ−１であった。更に、クールプロバイドはタック性（物体に貼り付く、又は物体を貼り付ける性質）を有しており、ある程度の重量の物体、部品であれば、ネジ等の固着手段を用いることなく、表面部分の接着力だけで部品等を仮固定することができる。
【００７２】
このような性質を有する放熱ゴム１０４において、放熱ゴム１０４Ａの一面がダクト部材９５の表面に接着され、その他面が第１のプリント基板４４Ａの一面に接着されている。第１のプリント基板４Ａの他面には放熱ゴム１０４Ｂの一面が接着され、その他面には放熱板１０５の一面が接着されている。そして、放熱板１０５の他面には放熱ゴム１０４Ｃの一面が接着され、その他面には第２のプリント基板４Ｂの一面が接着されている。尚、第３のプリント基板４Ｃには放熱ゴム１０４が用いられていないが、その理由は、発熱の著しい電子部品が第３のプリント基板４Ｃには実装されていないためである。
【００７３】
このような構成としたことにより、実装されている電子部品等の動作によって第１のプリント基板４Ａが発熱すると、一方では電子部品１０２から放熱ゴム１０４Ａを介してダクト部材９５に熱が伝導され、他方では放熱ゴム１０４Ｂ及び放熱板１０５を介してダクト部材９５に熱が伝導される。また、電子部品等の動作によって第２のプリント基板４Ｂが発熱すると、放熱ゴム１０４Ｃ及び放熱板１０５を介してダクト部材９５に熱が伝導される。その結果、放熱ゴム１０４及び放熱板１０５のいずれもが熱を良く伝達する導体で形成されているため、第１のプリント基板４Ａ及び第２のプリント基板４Ｂの熱を効率良くダクト部材９５に伝導することができる。
【００７４】
更に、ダクト部材９５が熱の導体で形成されているばかりでなく、その内部には流体通路９６が形成されていて、その流体通路９６内にはファン９７が設けられているため、ファン９７を駆動して流体通路９６内に外気を流通させることによりダクト部材９５の熱を奪って冷却することができる。そのため、放熱ゴム１０４、放熱板１０５及びダクト部材９５を介して第１及び第２のプリント基板４Ａ及び４Ｂの熱を効率良く外部に放出し、第２の室７３内の温度が必要以上に高くなるのを防ぐことができる。
【００７５】
また、図５に示すように、外装ケース７の第２の室７３内には、対物レンズ１６を外装ケース７外に露出させた状態でレンズ装置６が収納されている。レンズ装置６は、対物レンズ１６を含む複数枚のレンズが収納されたレンズ鏡筒１１０を備えており、このレンズ鏡筒１１０の背面の光軸上にＣＣＤ５が配置されている。図５に示す符号１１１は、レンズ鏡筒１１０の上面及び一方の側面を囲う放熱板である。この放熱板１１１は、レンズ装置６やＣＣＤ５等の発熱を抑制してレンズ装置６やＣＣＤ５のスムースな動作を確保するためのものである。
【００７６】
放熱板１１１は、上面部１１１ａと側面部１１１ｂと背面部１１１ｃとを有しており、図示しない取付ネジ等の固着手段によってレンズ鏡筒１１０に固定されている。放熱板１１１の上面部１１１ａ及び側面部１１１ｂの各内面にレンズ鏡筒１１０の外面が接触され、背面部１１１ｃの前面にＣＣＤ５が固定されている。レンズ装置６等の発熱源としては、例えば、その動作に伴って発熱するズームレンズ用モータやＣＣＤ５等の電子部品等を挙げることができる。放熱板１１１の材料としては、例えば、熱の導体である銅板が好適であるが、他の金属を用いることができることは勿論のこと、熱の導体であればエンジニアリングプラスチックを用いることもできる。
【００７７】
このような構成を有するディスク式撮像装置１によれば、外装ケース７の略中央部にダクト部材９５によって形成される流体通路９６が上下方向へ貫通するように設けられているため、ダクト部材９５及び流体通路９６を用いて外装ケース７内に内蔵されている発熱の大きな電子部品から発生する熱を外部に効率良く放熱することができる。
【００７８】
即ち、ダクト部材９５が熱の導体により形成されていて、図６に示すように、プリント基板４４に実装されている発熱の大きな電子部品１０２等の発熱源の熱がダクト部材９５に効率良く集められる構成となっている。そして、ダクト部材９５の内部には流体通路９６が形成されており、外装ケース７の外面に開口された吸入口７１から吸気されて流体通路９６を通り、同じく外装ケース７の外面に開口された排出口７０から外部に空気が排出される構成となっている。そのため、流体通路９６を通る冷たい空気によって外装ケース７内の熱を吸収し、これにより熱くなった空気を流体通路９６から外部に排出して、外装ケース７内を冷却することができる。
【００７９】
そのため、ディスクドライブ装置３のスピンドルモータ８３や二軸アクチュエータ８８等の温度が必要以上に高くなるのを防止することができ、これにより、温度上昇によるスピンドルモータ８３等の回転不良や誤作動の発生を防ぐことができる。しかも、流体通路９６内にはファン９７が配設されており、このファン９７を駆動することによって流体通路９６内に外気を強制的に流通させ、内部装置の冷却効率を高めることができる。更に、流体通路９６内にフィンを設けることにより、更に冷却効率を向上させることができる。
【００８０】
一方、排出口７０がディスク側パネル１２の上面に開口されているため、例えば、雨天時の野外撮影等においては、雨水が排出口７０から流体通路９６内に入り込むことがある。かかる場合にも、流体通路９６内に入り込んだ雨水は、隔壁１２１ａによって形成された排水路１２２から下端開口部９６ｂ側に導かれる。しかも、ファン９７の吸気口は、中仕切り１２１によって排水路１２２と隔てられた台座部９５ｃの第１の開口部９８ａに対向されているため、上端開口部９６ａ内に入り込んだ雨水がファン９７の吸気口内に流れ込むことがない。そのため、ファン９７が雨水に接触して錆付くという不具合の発生を防止することができる。
【００８１】
尚、前記実施例においては、流体通路の吸入口及び排出口の２つの開口部を、外装ケース７の上面と下面の二面に設けた例について説明したが、２つの開口部は、例えば、下面或いは上面若しくは側面のように同一面の２箇所に設ける構成としてもよい。その理由は、本発明においては、流体通路内にファンを設ける構成としたため、そのファンで空気を強制的に流通させることにより、同一平面内においても十分に空気を流通させることができるからである。
【産業上の利用可能性】
【００８２】
本発明は、前述しかつ図面に示した実施の形態に限定されるものではなく、その要旨を逸脱しない範囲内で種々の変形実施が可能である。例えば、前記実施例では、ＤＶＤを記録媒体として用いたディスク式撮像装置に適用した例について説明したが、光磁気ディスクや磁気ディスク等の他の記録方式のディスク状記録媒体を用いることができることは勿論である。また、前記実施例では、ディスク記録及び／又は再生装置として再生のみならず、記録も可能な装置に適用したが、再生専用のディスク再生装置や、記録専用のディスク記録装置に適用できることは勿論である。
【図面の簡単な説明】
【００８３】
【図１】本発明のディスク記録及び／又は再生装置の一実施例に係るディスク式撮像装置を示すもので、ディスク蓋を開いた状態の斜視図である。
【図２】図１に示すディスク式撮像装置のディスク蓋側を背面側から見た斜視図である。
【図３】図１に示すディスク式撮像装置の表示装置側を正面側から見た斜視図である。
【図４】図１に示すディスク式撮像装置の表示装置を開いて背面側から見た斜視図である。
【図５】図１に示すディスク式撮像装置の基板側パネルを取り除いて内部の仕切り壁等を示す背面側から見た斜視図である。
【図６】図１に示すディスク式撮像装置を、前後方向中途部で断面した説明図である。
【図７】図１に示すディスク式撮像装置に係る仕切り壁とディスクドライブ装置との組立状態の平面図である。
【図８】図１に示すディスク式撮像装置に係る仕切り壁とディスクドライブ装置との組立状態の底面図である。
【図９】図１に示すディスク式撮像装置に係る仕切り壁とディスクドライブ装置との組立状態の側面図である。
【図１０】図１に示すディスク式撮像装置に係る仕切り壁の斜視図である。
【図１１】図１に示すディスク式撮像装置に係るダクト部材の斜視図である。
【図１２】図１に示すディスク式撮像装置に係るダクト部材を示すもので、同図Ａは一部を断面した左側面図、同図Ｂは正面図、同図Ｃは右側面図、同図Ｄは背面図である。
【図１３】図１２のダクト部材を示すもので、同図Ａは平面図、同図Ｂは図１２ＢのＸ−Ｘ線断面図、同図Ｃは図１２ＢのＹ−Ｙ線断面図、同図Ｄは底面図である。
【符号の説明】
【００８４】
１…ディスク撮像装置（ディスク記録及び／又は再生装置）、  ２…ＤＶＤ（ディスク状記録媒体）、  ３…ディスクドライブ装置、  ４Ａ，４Ｂ，４Ｃ…プリント基板、  ５…ＣＣＤ（固体撮像素子）、  ６…レンズ装置、  ７…外装ケース、  ８…ディスク収納室、  ９…ディスク蓋、  １０…仕切り壁、  １２…ディスク側パネル、  １３…基板側パネル、  ２７…表示装置、  ２８…液晶モニタ、  ３５…パネルロック機構、  ５０…蓋ロック装置、  ７２…第１の室、  ７３…第２の室、  ８０…メカシャーシ、  ８２…テーブル回転装置、  ８４…ターンテーブル、  ８６…光学ピックアップ装置、  ９０…ピックアップ移動装置、  ９５…ダクト部材、  ９６…流体通路、  １０４Ａ，１０４Ｂ，１０４Ｃ…放熱ゴム（熱伝導成形体）、  １０５，１１１…放熱板
【図１】
2005063534.tif 000003
【図２】
2005063534.tif 000004
【図３】
2005063534.tif 000005
【図４】
2005063534.tif 000006
【図５】
2005063534.tif 000007
【図６】
2005063534.tif 000008
【図７】
2005063534.tif 000009
【図８】
2005063534.tif 000010
【図９】
2005063534.tif 000011
【図１０】
2005063534.tif 000012
【図１１】
2005063534.tif 000013
【図１２】
2005063534.tif 000014
【図１３】
2005063534.tif 000015